(57)【要約】      （修正有）【課題】器具本体と反射板を確実に接触導通できる照明器具を提供する。【解決手段】アース接地される本体部１１０を有する器具本体と、この器具本体に取り付けられるとき、本体部１１０に対して略垂直となる一辺を有する反射板被係止穴２２１が形成される反射板と、反射板被係止穴２２１の一辺に反射板の外郭から内側に向かって傾斜を付けて形成される舌部２２２と、器具本体に設けられ、反射板被係止穴２２１に嵌合して反射板を係止する受け部を有し、舌部２２２が受け部に接触して、本体部１１０と反射板とを電気的に接続する反射板取付爪１２０を備えたので、反射板を反射板取付爪１２０に取り付けるとき、舌部２２２が受け部と接触して、反射板を反射板取付爪１２０に係止するとともに反射板と器具本体とを電気的に接続させることができる。【選択図】図５
2013033683.tif 000002
【特許請求の範囲】
【請求項１】
アース接地される本体部を有する器具本体と、
前記器具本体に取り付けられるとき、前記本体部に対して略垂直となる一辺を有する反射板被係止穴が形成される反射板と、
前記反射板被係止穴の前記一辺に前記反射板の外郭から内側に向かって傾斜を付けて形成される舌部と、
前記器具本体に設けられ、前記反射板被係止穴に嵌合して前記反射板を係止する係止部を有し、前記反射板が前記器具本体に取り付けられるとき、前記舌部が前記係止部に接触して、前記本体部と前記反射板とを電気的に接続する反射板取付部と、
を備えることを特徴とする照明器具。
【請求項２】
アース接地される本体部を有する器具本体と、
前記器具本体に取り付けられるとき、前記本体部に対して略垂直となる二辺を有する反射板被係止穴が形成される反射板と、
前記反射板被係止穴の前記二辺からそれぞれ前記反射板の外郭から内側に向かって傾斜を付けて形成される２つの舌部と、
前記器具本体に設けられ、前記反射板被係止穴に嵌合して前記反射板を係止する係止部を有し、前記反射板が前記器具本体に取り付けられるとき、それぞれの前記舌部が前記係止部を挟み込むように接触して、前記本体部と前記反射板とを電気的に接続する反射板取付部と、
を備えることを特徴とする照明器具。
【請求項３】
前記舌部又は前記反射板取付部の少なくともいずれか一方が塗装されており、前記反射板が前記器具本体に取り付けられるとき、前記舌部が前記係止部に接触することにより、この接触部分における前記塗装を剥離することを特徴とする請求項１又は請求項２に記載の照明器具。
【請求項４】
前記係止部が台形状に形成され、前記台形状の長辺と斜辺の成す角度が、前記舌部が傾斜する傾斜角よりも大きいことを特徴とする請求項１〜請求項３のいずれかに記載の照明器具。
【請求項５】
前記反射板取付部がＬ字形状に形成されていることを特徴とする請求項１〜請求項４のいずれかに記載の照明器具。
【請求項６】
前記舌部は、前記反射板被係止穴の中心方向の端部に切欠部を形成することを特徴とする請求項１〜請求項５のいずれかに記載の照明器具。
【請求項７】
前記反射板が前記器具本体に取り付けられるとき、前記係止部が前記切欠部に接触し、前記反射板被係止穴に固定されることを特徴とする請求項６に記載の照明器具。
【発明の詳細な説明】
【技術分野】
【０００１】
本発明は、照明器具の器具本体に形成された取付部に反射板を取り付けた際に、反射板を確実に接地する構造に関する。
【背景技術】
【０００２】
照明器具の器具本体に形成された嵌合穴に反射板取付金具の爪部を挿入する際、この爪部のエッジで嵌合穴の縁部の塗装を削り、反射板取付金具を器具本体に取り付けるとともに電気的に接続し、嵌合穴から外部に突出した爪部を折り曲げて器具本体に固定するものがある（例えば、特許文献１。）。
【先行技術文献】
【特許文献】
【０００３】
【特許文献１】特開２００６−１７２９６８号公報
【発明の概要】
【発明が解決しようとする課題】
【０００４】
しかしながら、反射板取付金具に形成された爪部を照明器具の器具本体に形成された嵌合穴に挿入後、爪部を折り曲げて反射板取付金具を器具本体に接触させ、固定するという工程が必要であった。
【０００５】
本発明は、上記のような課題を解決するためになされたものであり、反射板を照明器具の器具本体に設けられた係止部に係止するとき、反射板の被係止穴に形成された舌部が係止部に接触し、この舌部の弾性変形により係止部を固定するとともに、係止部との接触状態を保ち続けることで確実に反射板と器具本体とを接触導通し、器具本体を通して反射板をアース接地することができる照明器具を提供することを目的とする。
【課題を解決するための手段】
【０００６】
本発明は、照明器具の器具本体に設けられた反射板取付部に嵌合する反射板の側面に設けられた被係止穴の一辺に、反射板の外郭から内側に向かって傾斜を付けて舌部を形成し、この反射板を反射板取付部に取り付けるとき、この舌部は反射板取付部の係止部を押し当てられて弾性変形し、被係止穴が反射板取付部の係止部に嵌合されると、舌部が弾性力により係止部に接触し続け、反射板と器具本体とを電気的に接続させるものである。
【発明の効果】
【０００７】
本発明によれば、照明器具の器具本体に設けられた反射板取付部に反射板を取り付けるとき、反射板の側面に設けられた反射板被係止穴の一辺に、反射板の外郭から内側に向かって傾斜を付けて形成された舌部が、反射板取付部の係止部と接触して、反射板を反射板取付部に係止するとともに反射板と器具本体とを電気的に接続させることができる。
【図面の簡単な説明】
【０００８】
【図１】実施の形態１の照明器具を示す斜視図である。
【図２】図１の照明器具から反射板を外した状態を示す分解斜視図である。
【図３】図１の照明器具のＡ−Ａ断面を示すＡ−Ａ断面図である。
【図４】図１の照明器具の一部を示す断面斜視図である。
【図５】図１の照明器具のＢ部を反射板の内側から見たときの部分拡大斜視図である。
【図６】図２の照明器具のＣ部を拡大した部分拡大図である。
【図７】図２の照明器具のＤ部を拡大した部分拡大図である。
【図８】図２の照明器具の電源端子台を示す斜視図である。
【図９】図２の照明器具のＥ部を拡大した部分拡大図である。
【図１０】図２の照明器具のＣ部およびＤ部を示す部分拡大図である。
【図１１】図２の照明器具の要部を模式的に示す模式図である。
【図１２】図３の照明器具のＦ部を拡大した部分拡大断面図である。
【図１３】図１２の照明器具のＭ−Ｍ断面を示すＭ−Ｍ断面図である。
【図１４】実施の形態１の他の照明器具の要部を模式的に示す模式図である。
【図１５】実施の形態１の他の照明器具の舌部を示す部分拡大図である。
【図１６】実施の形態２の反射板被係止穴と舌部を示す斜視図である。
【図１７】図１６の舌部を示す正面図および上視図である。
【図１８】図１６に示す反射板被係止穴に反射板取付爪が挿入された状態を示す斜視図である。
【図１９】実施の形態３の器具本体と反射板を示す模式図である。
【図２０】実施の形態４の器具本体と反射板を示す模式図である。
【図２１】実施の形態５の器具本体と反射板を示す模式図である。
【図２２】実施の形態６の器具本体と反射板を示す模式図である。
【発明を実施するための形態】
【０００９】
実施の形態１．
図１は、実施の形態１の照明器具を示す斜視図、図２は、図１の照明器具から反射板を外した状態を示す分解斜視図、図２（ａ）は、図１の照明器具の発光面側から見た分解斜視図、図２（ｂ）は、図２（ａ）の照明器具を反対側から見た分解斜視図、図３は、図１の照明器具のＡ−Ａ断面を示すＡ−Ａ断面図である。
【００１０】
照明器具１０００は、外郭を形成し天井などに取り付けられて設置される箱状の器具本体１００と、器具本体１００に取り付けられる反射板２００と、器具本体１００に取り付けられ直管形蛍光ランプ（図示しない）が装着されるランプソケット３００と、器具本体１００に取り付けられる電源端子台４００と、器具本体１００に取り付けられる点灯装置５００と、から構成される。
【００１１】
図４は、図１の照明器具の一部を示す断面斜視図、図４（ａ）は、図１の照明器具のＡ−Ａ断面を示す断面斜視図、図４（ｂ）は、図４（ａ）の照明器具のＧ部を拡大した拡大断面斜視図、図５は、図１の照明器具のＢ部を反射板の内側から見たときの部分拡大斜視図、図６は、図２の照明器具のＣ部を拡大した部分拡大図である。
【００１２】
器具本体１００は、本体部１１０と、この本体部１１０から切り起こされ、Ｌ字状に折り曲げられて形成される４つの反射板取付爪１２０（以下、反射板取付部１２０ともいう。）と、本体部１１０の長手方向の両端に形成される２つの本体端部１３０と、底面の短手方向の両端に形成される２つの本体側部１４０から構成される。
【００１３】
なお、本実施の形態では、器具本体１００は、塗装済みの金属製の平板（プレコート鋼板ともいう。）を用いる場合について説明する。したがって、切り出しや穴開けによって生じた切断面を除く表面は、塗装により絶縁性を有している。
【００１４】
本体部１１０は、反射板取付爪１２０が切り起こされるときに形成される角穴１１１と、アース接地穴１１２と、電源端子台４００、点灯装置５００が取り付けられるネジ穴などが形成される。
【００１５】
角穴１１１は、反射板取付爪１２０が切り起こされるときに生じる折り曲げ部１１１ａを有する。
【００１６】
アース接地穴１１２は、丸穴形状にくり抜かれた開口穴である。
【００１７】
反射板取付爪１２０は、本体部１１０から切り起こされる切り起こし部１２１と、この切り起こし部１２１から折り曲げられて形成する受け部１２２（以下、係止部１２２ともいう。）と、を有する。
【００１８】
この反射板取付爪１２０は、２個が一対をなすように本体部１１０の長手方向の両端寄りに設けられ、それぞれ一対の反射板取付爪１２０の受け部１２２は、互いに向かいあっている。
【００１９】
受け部１２２は、台形状の板材である。この受け部１２２の外形形状は、それぞれ切り起こし部１２１から先端に向かって中央方向に傾斜する２つの側部１２２ａと、この側部１２２ａから曲線（Ｒ形状）を描く２つのエッジ部１２２ｂと、この２つのエッジ部１２２ｂを結ぶ端部１２２ｃからなる。
【００２０】
本体端部１３０は、本体部１１０の両端に取り付けられ、ランプソケット３００が取り付けられる取付穴（図示しない。）を有する。
【００２１】
本体側部１４０は、本体部１１０から折り曲げられて斜めに傾斜する側部反射板１４１を有する。
【００２２】
反射板２００は、Ｖ字状に折り曲げられて形成される２つの反射面２１０と、この反射面２１０の端部が折り曲げられて形成する反射板側面部２２０と、この反射板側面部２２０の端部がＲ形状に折り曲げられて形成する折り曲げ部２３０から構成される。
【００２３】
なお、本実施の形態では、反射板２００は、白色に塗装されたプレコート鋼板を用いる場合について説明する。したがって、切り出しや穴開けによって生じた切断面を除く表面は、塗装により絶縁性を有している。また、本実施の形態における反射板２００は、反射面２１０によって、直管形蛍光ランプが発する光を反射するほか、器具本体１００の反射板取付爪１２０に取り付けられたとき、反射面２１０によって、電源線などの配線、電源端子台４００及び点灯装置５００などを覆い、照明器具１０００が天井などに設置された際に、外部から見えないようにする機能も有している。
【００２４】
２つの反射面２１０は、板金が山部を形成するように折り曲げられて形成する。そのため、短手方向に作業者が摘むと、２つの反射面２１０を繋ぐ山部を中心に弾性変形する。
【００２５】
反射板側面部２２０は、反射板２００が器具本体１００に取り付けた際に本体部１１０に対して垂直になるように、反射面２１０から折り曲げて形成され、４つの四角形状の反射板被係止穴２２１と、この反射板被係止穴２２１から切り起こされて形成する舌部２２２を有する。
【００２６】
図７は、図２の照明器具の反射板のＤ部を拡大した部分拡大図、図７（ａ）は、図２（ａ）の反射板のＤ部を内側から見た斜視図、図７（ｂ）は、図２（ａ）の反射板のＤ部をＸ軸方向から見た正面図、図７（ｃ）は、図２（ｃ）の反射板のＤ部をＹ軸方向から見た上視図である。
【００２７】
反射板被係止穴２２１は、反射板２００が器具本体１００に取り付けられたとき、本体部１１０に対してほぼ垂直となる２つの側辺２２１ａと、この２つの側辺２２１ａの上端（反射面２１０とは対向する側）を繋ぐ上辺２２１ｂ、２つの側辺２２１ａの下端（反射面２１０側）を繋ぐ下辺２２１ｃからなる。
【００２８】
反射板被係止穴２２１は、反射板２００を正面から見た（反射板２００のＶ字状に折り曲げられた山部を正視した）とき、長辺側に２箇所づつ設けられている。それぞれの反射板被係止穴２２１の具体的な配置は、Ｖ字形状に折り曲げられた反射板２００の長手方向の中心線に対して線対称に２箇所、また短手方向の中心線に対して線対称に２箇所となっている。
【００２９】
２つの舌部２２２は、反射板被係止穴２２１を形成する切り出し或いは型抜きする際に同時に加工され、反射板被係止穴２２１の２つの側辺２２１ａからそれぞれ突出するように設けられ、さらに、反射板２００の内側方向、かつ斜め方向に折り曲げられて形成される。
【００３０】
この舌部２２２は、反射板側面部２２０の外郭面側の表面２２２ａと、この表面２２２ａの周枠である３つの辺（表面２２２ａの端辺２２２ｂと、表面２２２ａの両側の側辺２２２ｃ）からなる。
【００３１】
折り曲げ部２３０は、Ｒ形状に折り曲げられて形成されている。これは、作業者が反射板２００を触れるときに、反射板側面部２２０の切断面を直接手で触れないようにしているものである。本実施の形態では、反射板２００に折り曲げ部２３０を有する場合について説明するが、折り曲げ部２３０の形状は他の形状であってもよいし、折り曲げ部２３０を形成しなくてもよい。
【００３２】
ランプソケット３００は、詳細は図示しないが、外郭にソケット本体３１０と一体的に形成された２つのソケット被取付部３２０を有する。
【００３３】
ソケット本体３１０は、直管形蛍光ランプの口金部が挿入され、直管形蛍光ランプを保持する。
【００３４】
ソケット被取付部３２０は、ソケット本体３１０の両側の側面に１箇所ずつ設けられており、その先端が球体の突起となっている。このソケット被取付部３２０が、本体端部１３０の取付穴に挿入され、ランプソケット３００が本体端部１３０に固定される。
【００３５】
図８は、図２の照明器具の電源端子台を示す斜視図、図８（ａ）は、電源端子台の正面側から見た斜視図、図８（ｂ）は、電源端子台の背面側から見た斜視図、図９は、図２の照明器具のＥ部を拡大した部分拡大図である。
【００３６】
電源端子台４００は、外部から引き込まれる電源線およびアース線が取り付けられる電源線挿入部４１０およびアース線挿入部４２０と、外部に突出する接地金具４３０と、点灯装置５００と接続される電線が取り付けられる電線挿入部４４０と、本体部１１０の取付穴に係合する３つの取付爪４５０から構成される。
【００３７】
接地金具４３０は、２つの三角形状の接触片４３１を有する。接触片４３１は、電源端子台４００の底面に対して略垂直方向の垂直辺４３１ａと、同じく電源端子台４００の底面に対して斜め方向のテーパー辺４３１ｂを有する。２つの接触片４３１は、互いの垂直辺４３１ａを向かい合わせて、電源端子台４００の底面から突出し、電源端子台４００が本体部１１０に取り付けられるとき、テーパー辺４３１ｂが本体部１１０のアース接続穴１１２の内壁に接触（アース接地穴１１２の内壁が塗装されている場合は、テーパー辺４３１ｂがこの塗装を剥離する。）し、接地金具４３０と本体部１１０は導通し、本体部１１０をアース接地する。
【００３８】
点灯装置５００は、詳細は図示しないが、ベースケース５１０と、このベースケース５１０に収納され、光源の点灯回路を構成する電気部品が実装されたプリント配線基板５２０と、ベースケース５１０に取り付けられ、プリント配線基板５２０をカバーするケースカバー５３０から構成される。この点灯装置５００は、ベースケース５１０、プリント配線基板５２０およびケースカバー５３０をアース接地させるために、本体部１１０に取り付けられる際に、点灯装置５００を本体部１１０に固定するネジなどを介して導電させる場合があるが、詳細説明は省略する。
【００３９】
次に、反射板取付爪１２０と、舌部２２２の大きさ（距離関係）について説明する。
図１０は、図２の照明器具のＢ部およびＣ部を示す部分拡大図、図１０（ａ）は、図２の照明器具のＣ部（反射板取付爪）を示す部分拡大図、図１０（ｂ）は、図２の照明器具のＤ部（反射板被係止穴、舌部）を示す部分拡大図、図１１は、図２の照明器具の要部を模式的に示す模式図、図１１（ａ）は、図２の照明器具の器具本体と反射板取付爪を示す模式図、図１１（ｂ）は、図２の照明器具の反射板と舌部を示す模式図である。
【００４０】
まず、反射板取付爪１２０の受け部１２２の大きさ、角度をそれぞれ次のように定義する。
折り曲げ部１１１ａと側部１２２ａとの角度を角度α、受け部１２２の一方の側部１２２ａとエッジ部１２２ｂの境界と、他方の側部１２２ａとエッジ部１２２ｂの境界との間の距離を長さａ、折り曲げ部１１１ａの側面同士の距離を長さｂ、折り曲げ部１１１ａから側部１２２ａとエッジ部１２２ｂの境界の間の距離（折り曲げ部１１１ａに対して垂直方向の距離）を長さｃとする。
【００４１】
次に、反射板被係止穴２２１および舌部２２２の大きさ、角度をそれぞれ次のように定義する。
２つの舌部２２２が、反射板被係止穴２２１から折り曲げられる角度を角度β、２つの舌部２２２の折り曲げ辺２２２ｄの間の距離を長さｄ、２つの舌部２２２の端部（端辺２２２ｂ）の間の距離を長さｅ、対面する表面２２２ａ同士の距離が長さａとなる点と反射板側面部２２０の外郭との間の距離（係止穴外郭に対する垂直方向の距離）を長さｆとする。
【００４２】
また、対面する反射板取付爪１２０同士の距離（本体部１１０の短手方向の切り起こし部１２１までの距離）を長さｇ、反射板被係止穴２２１同士の距離（反射板２００の短手方向の幅）を長さｈとする。
このとき、それぞれの角度、距離の関係は、
角度β＜角度α
長さｅ＜長さａ＜長さｂ≦長さｄ
長さｆ＜長さｃ
となる。
【００４３】
つまり、２つの舌部２２２は、反射板被係止穴２２１を反射板取付爪１２０に嵌め込むときの嵌合方向に対して逆ハの字形状に形成されており、反射板被係止穴２２１の中心に向かって２つの舌部２２２同士の間隔が狭くなるよう角度βの傾斜が付けられている。また、舌部２２２同士の端部の間隔（長さｅ）よりも、エッジ部１２２ｂ同士の幅（長さａ）が狭いので、反射板取付爪１２０が、反射板被係止穴２２１に嵌め込まれた際、反射板取付爪１２０の縁部に形成されたエッジ部１２２ｂが舌部２２２に確実に接触する形状となっている。
【００４４】
次に、器具本体１００に反射板２００を取り付ける工程について説明する。
図１２は、図３の照明器具のＦ部を拡大した部分拡大断面図、図１２（ａ）は、反射板を器具本体に取り付ける前の状態を示す部分拡大断面図、図１２（ｂ）は、反射板を器具本体に取り付ける過程の状態を示す部分拡大断面図、図１２（ｃ）は、反射板を器具本体に取り付けた状態を示す部分拡大断面図である。
図１３は、図１２の照明器具のＭ−Ｍ断面を示すＭ−Ｍ断面図、図１３（ａ）〜図１３（ｃ）は、それぞれ図１２（ａ）〜図１２（ｃ）の照明器具のＭ−Ｍ断面に対応するＭ−Ｍ断面図である。
【００４５】
まず、天井に取り付けられた器具本体１００に反射板取付爪１２０の端部側の水平方向の位置に、反射板２００の短手方向の一方側の反射板被係止穴２２１（舌部２２２）を合わせ、反射板２００を反射板取付爪１２０に向かってスライド（図１２の矢印Ｌ方向）させていく（図１２（ａ）、図１３（ａ））。
【００４６】
さらに、反射板２００をスライドさせると、反射板取付爪１２０が反射板被係止穴２２１に嵌め込まれていき、反射板取付爪１２０のエッジ部１２２ｂが舌部２２２の表面２２２ａに接触（図１２（ｂ）、図１３（ｂ））する。
【００４７】
この状態から、さらに反射板被係止穴２２１を反射板取付爪１２０に嵌め込む（図１２（ｃ）、図１３（ｃ））とき、反射板被係止穴２２１に形成された舌部２２２の表面２２２ａが反射板取付爪１２０の縁部のエッジ部１２２ｂに擦りつけられ、表面２２２ａをコーティングしていた塗膜を剥離していく。
【００４８】
つまり、反射板取付爪１２０が反射板被係止穴２２１に長さｅだけ挿入されると、受け部１２２のＲ部と側部１２２ａとの境界同士の距離が長さａであるので、反射板被係止穴２２１の外郭から表面２２２ａまでの距離（長さｆ）の部分に、側部１２２ａとエッジ部１２２ｂとの境界部分が接する。さらに、反射板取付爪１２０を反射板被係止穴２２１に挿入すると、エッジ部１２２ｂが表面２２２ａに接した状態で、長さｃ−長さｆのストローク分、反射板取付爪１２０が反射板被係止穴２２１に挿入されるので、エッジ部１２２ｂが表面２２２ａの塗装膜を剥離させることができる。
【００４９】
したがって、表面２２２ａの塗膜で覆われていた金属部が一部剥き出しになり、エッジ部１２２ｂの金属部と接触し導通するとともに、反射板側面部２２０が反射板取付爪１２０の側部１２２ａに押し付けられ、エッジ部１２２ｂと舌部２２２は、物理的、電気的に接触した状態となる。
【００５０】
次に、反射板２００の短手方向の他方側の反射板被係止穴２２１を反射板取付爪１２０に取り付けるが、一方側の反射板被係止穴２２１を反射板取付爪１２０を取り付ける際に行う反射板２００をスライドさせる工程が、Ｖ字形状に形成される反射板２００を内側方向に狭めた状態から広げる工程に置き換わるものの、反射板被係止穴２２１を反射板取付爪１２０に取り付ける工程は同じため、説明を省略する。
【００５１】
反射板２００を器具本体１００に取り付ける工程を纏めると以下のようになる。
２つの舌部２２２は反射板２００の外郭から内側に向けて逆ハの字形状に角度αを付けて傾いており、反射板２００の内側方向が狭く、外郭方向が広くなっている。
そのため、反射板取付爪１２０が反射板被係止穴２２１に嵌り込み始めた段階では、反射板取付爪１２０の縁部のエッジ部１２２ｂが舌部２２２の表面２２２ａに接触していないが、ある程度の位置まで反射板取付爪１２０が嵌り込んだ段階から、エッジ部１２２ｂが表面２２２ａと接触し、エッジ部１２２が表面２２２ａの接触面を擦り始める。そして、反射板取付爪１２０のエッジ部１２２ｂが舌部２２２の表面２２２ａの塗装を削って剥離し、反射板取付爪１２０が反射板被係止穴２２１に完全に嵌り込むと、エッジ部１２２ｂの金属部と表面２２２ａを覆っていた塗膜を剥離された剥き出しの金属部が接触し導通する。これにより、器具本体１００と反射板２００を接触導通させるとともに、反射板側面部２２０が両側を反射板取付爪１２０の側部１２２ａに挟み込まれ、固定されることで反射板２００が器具本体１００へ取り付けられる。
【００５２】
このとき、反射板２００が係止されている反射板取付爪１２０の側部１２２ａを反射板側面部２２２が反射板２００の内側から外側へ広がろうとする弾性力により押し込んでおり、反射板取付爪１２０との接触性をより高めている。同時に、図１３（ｃ）に示すように、反射板取付爪１２０からＮ方向に舌部２２２を押す力を受け、舌部２２２が元の形状に戻ろうとするＮ方向と逆向きに働く弾性力と釣り合って反射板取付爪１２０が固定される。この反射板取付爪１２０のエッジ部１２２ｂに、舌部２２２の弾性力によって表面２２２ａの剥き出しの金属部が触れ続けることで、反射板２００と器具本体１００がより確実に接触導通される。また、反射板取付爪１２０の受け部１２２が反射板被係止穴２２１の上辺２２１ｂを下から支えることによって、より確実に反射板２００を器具本体１００に固定している。
【００５３】
なお、反射板２００の短手方向の幅が、この反射板２００の反射板側面部２２０を両側から挟み込んで固定する２つの反射板取付爪１２０の切り起こし部１２１の距離よりも狭いか同じ長さであれば、反射板２００自身の弾性力によって切り起こし部１２１を押す力が作用し、反射板２００を反射板取付爪１２０により確実に固定できる。
【００５４】
また、舌部２２２は、反射板取付爪１２０のエッジ部１２２ｂに対してＮ方向の逆向きに弾性力が働き、反射板取付爪１２０の両側に舌部２２２の端部（角部）が引っ掛かるので反射板２００が器具本体１００から離れ難くなる。
【００５５】
本実施の形態によれば、反射板２００を器具本体１００に取り付けるとともに、反射板２００の反射板被係止穴２２１に形成された舌部２２２が器具本体１００に設けられた反射板取付爪１２０に接触して擦られることにより、舌部２２２の表面２２２ａの塗膜が剥離され、剥き出しになった金属部分が反射板取付爪１２０の縁部のエッジ１２２ｂの金属部と接触し、反射板２００を器具本体１００を通してアース接地することができる。
【００５６】
さらに、反射板被係止穴２２１の対向する側辺２２１ａに形成された２つの舌部２２２が、反射板２００を係止している反射板取付爪１２０の縁部のエッジ部１２２ｂを弾性力により両側から均等に押さえるので、舌部２２２と反射板取付爪１２０の接触導通を保ってガタ付かず、反射板２００を確実にアース接地することができる。また、これにより照明器具１０００が外部から振動を受けた場合（例えば、気密性の高い居室で扉の開け閉めを行ったときに発生する居室内の気圧変化による天井材の揺れや、振動を伴う工事や地震による建物自体の揺れなどが起因して、照明器具が受ける振動）においても反射板２００を器具本体１００に確実に固定することができる。
【００５７】
なお、本実施の形態において、反射板取付爪１２０は切り出し、型抜きなどにより器具本体１００に一体的に形成されているが、別部品として器具本体１００の本体部１１０に取り付ける構造としてもよい。
【００５８】
なお、本実施の形態において、２つの舌部２２２が反射板取付爪１２０を両側から挟みこむように形成しているが、このように舌部２２２を形成することによって、反射板２００を反射板取付爪１２０に取り付けるとき、反射板取付爪１２０の縁部のエッジ部１２２ｂが２つの舌部２２２の表面２２２ａにほぼ同時に接触して、２つの表面２２２ａの塗膜をほぼ同じ力で削ることができる。
【００５９】
また、反射板２００を反射板取付爪１２０に取り付けた後、舌部２２２が反射板取付爪１２０のエッジ部１２２ｂを両側から挟み込んで同じ力で均等に押さえるので、表面２２２ａとエッジ部１２２ｂの接触面の密着性を高めることができ、外部からの振動に強くなり、より確実に接触導通することができる。
【００６０】
また、通常、反射板被係止穴２２１を、例えばプレス加工する際に、切り落とされてしまう部分があるが、折り曲げ辺２２２ｄから舌部２２２の外郭形状を残すようにプレス加工などを行うことにより、舌部２２２を形成する加工工程を少なくすることができるとともに、廃材を削減できる。
【００６１】
なお、本実施の形態の反射板取付爪１２０の縁部のエッジ部１２２ｂは塗装が剥離されているが、塗装が剥離されていなくてもよい。その場合、反射板被係止穴２２１が反射板取付爪１２０に嵌め込まれた際の接触により、エッジ部１２２ｂと舌部２２２の表面２２２ａの塗装を互いに剥離し、接触部の下の金属部を剥き出しにする。このとき、反射板取付爪１２０のエッジ部１２２ｂの先端を尖らせると、互いが接触する接触部分の塗装を剥離し易くなる。
【００６２】
また、本実施の形態では、４つの反射板被係止穴２２１にそれぞれ２つの舌部２２２を設ける場合について説明したが、反射板被係止穴２２１と舌部２２２との電気的な接触が一か所できていれば、反射板２００をアース接地することができるので、図１４（図１１に相当する器具本体と反射板の模式図）に示すように、少なくとも１つの反射板被係止穴２２１に２つの舌部２２２を設ければよい。
【００６３】
また、本実施の形態では、反射板被係止穴２２１から傾斜させて舌部２２２を形成する場合を説明したが、図１５（図７（ｃ）に相当する部分拡大図）に示すように、舌部２２２’を反射板被係止穴２２１の中央側に膨らむように丸みを帯びる（曲面を形成する）形状としてもよい。この場合、エッジ部１２２ｂの曲面と、舌部２２２’の表面２２２ａ’の曲面の凸面同士が接触するので、塗膜に対するエッジ部１２２ｂの接触角度が接線方向に近づくため、エッジ部１２２ｂは、表面２２２ａ’の塗膜を剥離し易くなる。
【００６４】
また、本実施の形態では、反射板取付爪１２０（エッジ部１２２ｂ）が舌部２２２（表面２２２ａ）の塗装膜を剥離して、反射板取付爪１２０と舌部２２２が電気的に接続される場合について説明したが、反射板取付爪１２０（エッジ部１２２ｂ）が舌部２２２の端辺２２２ｂの角部に接触させるようにしても、エッジ部１２２ｂが端辺２２２ｂの角部の塗装膜を剥離させることができるので、反射板取付爪１２０と舌部２２２を電気的に接続させることができる。
【００６５】
また、本実施の形態では、器具本体１００および反射板２００にプレコート鋼板を用いる場合について説明したが、プレス加工を行った後に塗装する後塗装（アフターコート）処理を行ってもよい。
【００６６】
また、本実施の形態では、直管形蛍光ランプを光源とした場合について説明しているが、光源は直管形ＬＥＤランプや有機ＥＬ等でもよい。
【００６７】
実施の形態２．
本実施の形態は、実施の形態１の舌部の変形例である。
本実施の形態において、実施の形態１と同様な構成については同符号を付し説明を省略する。
【００６８】
図１６は、本実施の形態の反射板被係止穴と舌部を示す斜視図、図１７は、図１６の舌部を示す図であり、図１７（ａ）は、図１６の舌部の正面図、図１７（ｂ）は、図１６の舌部の上方から見たときの上視図、図１８は、図１６に示す反射板被係止穴に反射板取付爪が挿入された状態を示す斜視図である。
【００６９】
照明器具１０００ａは、外郭を形成し天井などに取り付けられて設置される箱状の器具本体１００と、器具本体１００に取り付けられる反射板２００ａと、器具本体１００に取り付けられ直管形蛍光ランプ（図示しない）が装着されるランプソケット３００と、器具本体１００に取り付けられる電源端子台４００と、器具本体１００に取り付けられる点灯装置５００と、から構成される。
【００７０】
反射板２００ａは、Ｖ字状に折り曲げられて形成される２つの反射面２１０と、この反射面２１０の端部が折り曲げられて形成する反射板側面部２２０ａと、この反射板側面部２２０ａの端部がＲ形状に折り曲げられて形成する折り曲げ部２３０から構成される。
【００７１】
反射板側面部２２０ａは、４つの四角形状の反射板被係止穴２２１と、この反射板被係止穴２２１から切り起こされて形成する舌部２２３を有する。
【００７２】
２つの舌部２２３は、反射板被係止穴２２１を形成する切り出し或いは型抜きする際に同時に加工され、反射板被係止穴２２１の２つの側辺２２１ａからそれぞれ突出するように設けられ、さらに、反射板２００ａの内側方向、かつ斜め方向に折り曲げられて形成される。
【００７３】
この舌部２２３は、反射板側面部２２０ａの外郭面側の表面２２２ａと、この表面２２２ａの周枠である３つの辺（表面２２２ａの端辺２２２ｅと、表面２２２ａの両側の側辺２２２ｃ）からなる。
【００７４】
端辺２２２ｅは、ほぼ中央からＶ字状に切り込まれた切欠部２２２ｆを有する。本実施の形態では、切欠部２２２ｆの形状がＶ字状である場合について説明するが、凹状やＵ字状であっても構わない。
【００７５】
なお、器具本体１００に反射板２００ａを取り付ける工程は、実施の形態１と同様のため、説明を省略する。
【００７６】
反射板２００ａは、器具本体１００に取り付けられたとき、舌部２２３の切欠部２２２ｆが、反射板取付爪１２０のエッジ部１２２ｂに接触する。
【００７７】
したがって、切欠部２２２ｆがエッジ部１２２ｂに物理的、電気的に接触することによって、実施の形態１と同様に、反射板２００を器具本体１００に導通させて、アース接地することができる。
【００７８】
実施の形態３．
本実施の形態は、実施の形態１の反射板被係止穴に設ける舌部を減らす場合の変形例である。
本実施の形態において、実施の形態１と同様の構成については同符号を付し説明を省略する。
【００７９】
図１９は、実施の形態３の器具本体と反射板を示す模式図であり、図１９（ａ）は、器具本体の模式図、図１９（ｂ）は、反射板の模式図である。
【００８０】
照明器具１０００ｂは、外郭を形成し天井などに取り付けられて設置される箱状の器具本体１００と、器具本体１００に取り付けられる反射板２００ｂと、器具本体１００に取り付けられ直管形蛍光ランプ（図示しない）が装着されるランプソケット３００と、器具本体１００に取り付けられる電源端子台４００と、器具本体１００に取り付けられる点灯装置５００と、から構成される。
【００８１】
反射板２００ｂは、Ｖ字状に折り曲げられて形成される２つの反射面２１０と、この反射面２１０の端部が折り曲げられて形成する反射板側面部２２０ｂと、この反射板側面部２２０ｂの端部がＲ形状に折り曲げられて形成する折り曲げ部２３０から構成される。
【００８２】
反射板側面部２２０ｂは、４つの四角形状の反射板被係止穴２２１と、この４つの反射板被係止穴２２１からそれぞれ切り起こされて形成する１つの舌部２２２を有する。
【００８３】
反射板被係止穴２２１は、反射板２００ｂが器具本体１００に取り付けられたとき、本体部１１０に対してほぼ垂直となる２つの側辺２２１ａと、この２つの側辺２２１ａの上端（反射面２１０とは対向する側）を繋ぐ上辺２２１ｂ、２つの側辺２２１ａの下端（反射面２１０側）を繋ぐ下辺２２１ｃからなる。
【００８４】
舌部２２２は、反射板被係止穴２２１のうち、反射板２２０ｂの長手方向端部側の側辺２２１ａから折り曲げられて形成される。
したがって、反射板２００ｂの短手方向の一辺側に設けられる２つの反射板被係止穴２２１の舌部２２２の表面２２２ａは、互いに対向するようになっている。
【００８５】
次に、反射板被係止穴２２１同士の距離と、舌部２２２と、反射板取付爪１２０の大きさ（距離関係）について説明する。
【００８６】
まず、器具本体１００の長手方向に配置される一対の反射板取付爪１２０の間の距離をそれぞれ次のように定義する。
【００８７】
２つの反射板取付爪１２０の器具本体１００の長手方向の端部側までの距離を長さｉ、器具本体１００の長手方向の端部側のエッジ部１２２ｂと側部１２２ａとの境界同士を結ぶ線の距離を長さｊとする。
【００８８】
次に、反射板被係止穴２２１の長手方向の距離と、反射板２００ｂの一方側にある２つの反射板被係止穴２２１の間の距離を、次のように定義する。
【００８９】
反射板被係止穴２２１の折り曲げ辺２２２ｄから他方の側辺２２１ａまでの距離を長さｋ、舌部２２２の端部（端辺２２２ｂ）から他方の側辺２２１ａまでの距離を長さｌ、反射板被係止穴２２１同士の折り曲げ辺２２２ｄの間の距離を長さｍ、２つの舌部２２２の端部の間の距離を長さｎとする。
【００９０】
このとき、それぞれの角度、距離の関係は、
角度α＜角度β・・・（条件１）
長さｎ＜長さｊ＜長さｉ≦長さｍ・・・（条件２）
となる。
【００９１】
この条件１と条件２を満たすとき、本実施の形態においても、実施の形態１と同様の作用効果を得ることができる。
【００９２】
また、本実施の形態では、反射板２００ｂの短手方向の両側に舌部２２２を有する場合について説明したが、反射板２００ｂの短手方向の一方側に一対の舌部２２２を有するようにしても同様の作用効果が得られる。
【００９３】
なお、器具本体１００に反射板２００ｂを取り付ける工程は、実施の形態１と同様のため、説明を省略説明した。
【００９４】
また、本実施の形態は、実施の形態２に記載の照明器具から舌部２２３の個数を減らした場合にも適用できる。
【００９５】
実施の形態４．
本実施の形態は、実施の形態３の反射板被係止穴に設ける舌部をさらに減らす場合の変形例である。
本実施の形態において、実施の形態３と同様の構成については同符号を付し説明を省略する。
【００９６】
図２０は、本実施の形態の器具本体と反射板を示す模式図であり、図２０（ａ）は、器具本体の模式図、図２０（ｂ）は、反射板の模式図である。
【００９７】
照明器具１０００ｃは、外郭を形成し天井などに取り付けられて設置される箱状の器具本体１００と、器具本体１００に取り付けられる反射板２００ｃと、器具本体１００に取り付けられ直管形蛍光ランプ（図示しない）が装着されるランプソケット３００と、器具本体１００に取り付けられる電源端子台４００と、器具本体１００に取り付けられる点灯装置５００と、から構成される。
【００９８】
反射板２００ｃは、Ｖ字状に折り曲げられて形成される２つの反射面２１０と、この反射面２１０の端部が折り曲げられて形成する反射板側面部２２０ｃ、２２０ｄと、この反射板側面部２２０ｃ、２２０ｄの端部がＲ形状に折り曲げられて形成する折り曲げ部２３０から構成される。
【００９９】
反射板側面部２２０ｃは、２つの四角形状の反射板被係止穴２２１と、２つの反射板被係止穴２２１のいずれか一方、かつ、反射板２２０ｃの長手方向端部側から切り起こされて形成する１つの舌部２２２を有する。
【０１００】
反射板側面部２２０ｄは、２つの四角形状の反射板被係止穴２２１を有する。
【０１０１】
次に、反射板側面部２２０ｃの反射板被係止穴２２１同士の距離と、舌部２２２と、反射板取付爪１２０の大きさ（距離関係）について説明する。
【０１０２】
反射板２００ｃの一方側（反射板側面部２２０ｃ）にある２つの反射板被係止穴２２１の間の距離を、次のように定義する。
【０１０３】
反射板２００ｃの長手方向の一方側の反射板被係止穴２２１の折り曲げ辺２２２ｄから、他方側の反射板被係止穴２２１の反射板２００ｃの端部側の側辺２２１ａまでの距離を長さｐ、舌部２２２の端辺２２２ｂから他方側の反射板被係止穴２２１の反射板２００ｃの端部側の側辺２２１ａまでの距離を長さｑ（反射板２００ｃの長手方向と平行な仮想線の長さ）とする。
【０１０４】
このとき、それぞれの角度、距離の関係は、
角度α＜角度β・・・（条件１）
長さｑ＜長さｊ＜長さｉ≦長さｐ・・・（条件３）
長さｌ＜長さｂ≦長さｋ・・・（条件４）
となる。
【０１０５】
この条件１および条件３を満たすか、条件１および条件４を満たすとき、本実施の形態においても、実施の形態１と同様の作用効果を得ることができる。
【０１０６】
なお、器具本体１００に反射板２００ｃを取り付ける工程は、実施の形態１と同様のため、説明を省略説明した。
【０１０７】
また、本実施の形態は、実施の形態２に記載の照明器具から舌部２２３の個数を減らした場合にも適用できる。
【０１０８】
実施の形態５．
本実施の形態は、実施の形態１の反射板被係止穴に設ける舌部を減らす場合の変形例である。
本実施の形態において、実施の形態１と同様の構成については同符号を付し説明を省略する。
【０１０９】
図２１は、本実施の形態の器具本体と反射板を示す模式図であり、図２１（ａ）は、器具本体の模式図、図２１（ｂ）は、反射板の模式図である。
【０１１０】
照明器具１０００ｄは、外郭を形成し天井などに取り付けられて設置される箱状の器具本体１００と、器具本体１００に取り付けられる反射板２００ｄと、器具本体１００に取り付けられ直管形蛍光ランプ（図示しない）が装着されるランプソケット３００と、器具本体１００に取り付けられる電源端子台４００と、器具本体１００に取り付けられる点灯装置５００と、から構成される。
【０１１１】
反射板２００ｄは、Ｖ字状に折り曲げられて形成される２つの反射面２１０と、この反射面２１０の端部が折り曲げられて形成する反射板側面部２２０ｅと、この反射板側面部２２０ｅの端部がＲ形状に折り曲げられて形成する折り曲げ部２３０から構成される。
【０１１２】
反射板側面部２２０ｅは、２つの四角形状の反射板被係止穴２２１と、この２つの反射板被係止穴２２１からそれぞれ切り起こされて形成する１つの舌部２２２を有する。
【０１１３】
舌部２２２は、反射板被係止穴２２１のうち、反射板２００ｄの長手方向の中央側の側辺２２１ａから折り曲げられて形成される。
したがって、反射板２００ｄの短手方向の一辺側に設けられる２つの反射板被係止穴２２１の舌部２２２の表面２２２ａは、互いに相反する方向に面しているため、裏面側が対向するようになっている。
【０１１４】
次に、反射板被係止穴２２１同士の距離と、舌部２２２と、反射板取付爪１２０の大きさ（距離関係）について説明する。
【０１１５】
まず、反射板取付爪１２０の受け部１２２の大きさ、角度、器具本体１００の長手方向に配置される一対の反射板取付爪１２０の間の距離をそれぞれ次のように定義する。
【０１１６】
２つの反射板取付爪１２０の器具本体１００の長手方向の中央側の側部１２２ａ同士の距離を長さｓ、器具本体１００の長手方向の中央側のエッジ部１２２ｂと側部１２２ａの境界同士を結ぶ線の距離を長さｒとする。
【０１１７】
次に、反射板被係止穴２２１の長手方向の距離と、反射板２２０ｄの一方側の反射板側面部２２０ｅにある２つの反射板被係止穴２２１の間の距離を、次のように定義する。
【０１１８】
反射板被係止穴２２１の側辺２２１ａ（折り曲げ辺２２２ｄ）から、他方の反射板被係止穴２２１の側辺２２１ａ（折り曲げ辺２２２ｄ）までの距離を長さｔ、それぞれの反射板被係止穴２２１に設けられる舌部２２２の端辺２２２ｂ同士を結ぶ距離を長さｕとする。
【０１１９】
このとき、それぞれの角度、距離の関係は、
角度α＜角度β・・・（条件１）
長さｔ≦長さｓ＜長さｕ＜長さｒ・・・（条件５）
となる。
【０１２０】
この条件１と条件５を満たすとき、本実施の形態においても、実施の形態１と同様の作用効果をえることができる。
【０１２１】
また、本実施の形態では、反射板２００ｄの短手方向の両側に舌部２２２を有する場合について説明したが、反射板２００ｄの短手方向の一方側に一対の舌部２２２を有するようにしても同様の作用効果が得られる。
【０１２２】
なお、器具本体１００に反射板２００ｄを取り付ける工程は、実施の形態１と同様のため、説明を省略説明した。
【０１２３】
また、本実施の形態は、実施の形態２に記載の照明器具から舌部２２３の個数を減らした場合にも適用できる。
【０１２４】
実施の形態６．
本実施の形態は、実施の形態５の反射板被係止穴に設ける舌部をさらに減らす場合の変形例である。
本実施の形態において、実施の形態５と同様の構成については同符号を付し説明を省略する。
【０１２５】
図２２は、本実施の形態の器具本体と反射板を示す模式図であり、図２２（ａ）は、器具本体の模式図、図２２（ｂ）は、反射板の模式図である。
【０１２６】
照明器具１０００ｅは、外郭を形成し天井などに取り付けられて設置される箱状の器具本体１００と、器具本体１００に取り付けられる反射板２００ｅと、器具本体１００に取り付けられ直管形蛍光ランプ（図示しない）が装着されるランプソケット３００と、器具本体１００に取り付けられる電源端子台４００と、器具本体１００に取り付けられる点灯装置５００と、から構成される。
【０１２７】
反射板２００ｅは、Ｖ字状に折り曲げられて形成される２つの反射面２１０と、この反射面２１０の端部が折り曲げられて形成する反射板側面部２２０ｄ、２２０ｆと、この反射板側面部２２０ｄ、２２０ｆの端部がＲ形状に折り曲げられて形成する折り曲げ部２３０から構成される。
【０１２８】
反射板側面部２２０ｆは、２つの四角形状の反射板被係止穴２２１と、２つの反射板被係止穴２２１のいずれか一方、かつ、反射板２００ｅの長手方向中央側から切り起こされて形成する１つの舌部２２２を有する。
【０１２９】
次に、反射板被係止穴２２１同士の距離と、舌部２２２と、反射板取付爪１２０の大きさ（距離関係）について説明する。
【０１３０】
まず、器具本体１００の長手方向に配置される一対の反射板取付爪１２０の間の距離をように定義する。
【０１３１】
受け部１２２の一方（器具本体１００の長手方向の端部側）の側部１２２ａとエッジ部１２２ｂとの境界と、受け部１２２の一方（器具本体１００の長手方向の端部側）との距離を長さｖ、受け部１２２の一方（器具本体１００の長手方向の端部側）の側部１２２ａとエッジ部１２２ｂの境界と、受け部１２２の他方（器具本体１００の長手方向の端部側）との距離を長さａａとする。
【０１３２】
次に、反射板被係止穴２２１の長手方向の距離と、反射板２００ｅの反射板側面部２００ｆにある２つの反射板被係止穴２２１の間の距離を、次のように定義する。
【０１３３】
一方の反射板被係止穴２２１の折り曲げ辺２２２ｄから他方の反射板被係止穴２２１（舌部２２２がない反射板被係止穴２２１）の側辺２２１ａ（反射板２００ｅの長手方向の中央側）までの距離を長さｗ、舌部２２２の端辺２２２ｂから、他方の反射板被係止穴２２１の側辺２２１ａ（反射板２００ｅの長手方向の中央側）までの距離を長さｘとする。
【０１３４】
次に、反射板被係止穴２２１の大きさを次のように定義する。
舌部２２２の折り曲げ辺２２２ｄと、他方の側辺２２１ａの間の距離を長さｙ、舌部２２２の端辺２２２ｂから他方の側辺２２１ａの間の距離を長さｚとする。
【０１３５】
このとき、それぞれの角度、距離の関係は、
角度α＜角度β・・・（条件１）
長さｓ≦長さｗ＜長さｘ＜長さｖ・・・（条件６）
長さｚ＜長さａａ＜長さｂ≦長さｙ・・・（条件７）
となる。
【０１３６】
この条件１および条件６を満たすときか、条件１および条件７を満たすとき、本実施の形態においても、実施の形態１と同様の作用効果を得ることができる。
【０１３７】
なお、器具本体１００に反射板２００を取り付ける工程は、実施の形態１と同様のため、説明を省略説明した。
【０１３８】
また、本実施の形態は、実施の形態２に記載の照明器具から舌部２２３の個数を減らした場合にも適用できる。
【符号の説明】
【０１３９】
１０００、１０００ａ、１０００ｂ、１０００ｃ、１０００ｄ、１０００ｅ  照明器具、１００  器具本体、１１０  本体部、１１１  角穴、１１１ａ  折り曲げ部、１１２  アース接地穴、１２０  反射板取付爪、１２１  切り起こし部、１２２  受け部、１２２ａ  側部、１２２ｂ  エッジ部、１２２ｃ  端部、１３０  本体端部、１４０  本体側部、１４１  側部反射板、２００、２００ａ、２００ｂ、２００ｃ、２００ｄ、２００ｅ  反射板、２１０  反射面、２２０、２２０ａ、２２０ｂ、２２０ｃ、２２０ｄ、２２０ｅ、２２０ｆ  反射板側面部、２２１  反射板被係止穴、２２１ａ  側辺、２２１ｂ  上辺、２２１ｃ  下辺、２２２、２２２’、２２３  舌部、２２２ａ、２２２ａ’  表面、２２２ｂ、２２２ｅ  端辺、２２２ｃ  側辺、２２２ｄ  折り曲げ辺、２２２ｆ  切欠部、２３０  折り曲げ部、３００  ランプソケット、３１０  ソケット本体、３２０  ソケット被取付部、４００  電源端子台、４１０  電源線挿入部、４２０  アース線挿入部、４３０  接地金具、４３１  接触片、４３１ａ  垂直辺、４３１ｂ  テーパー辺、４４０  電線挿入部、４５０  取付爪、５００  点灯装置、５１０  ベースケース、５２０  プリント配線基板、５３０  ケースカバー。
【図１】
2013033683.tif 000003
【図２】
2013033683.tif 000004
【図３】
2013033683.tif 000005
【図４】
2013033683.tif 000006
【図５】
2013033683.tif 000007
【図６】
2013033683.tif 000008
【図７】
2013033683.tif 000009
【図８】
2013033683.tif 000010
【図９】
2013033683.tif 000011
【図１０】
2013033683.tif 000012
【図１１】
2013033683.tif 000013
【図１２】
2013033683.tif 000014
【図１３】
2013033683.tif 000015
【図１４】
2013033683.tif 000016
【図１５】
2013033683.tif 000017
【図１６】
2013033683.tif 000018
【図１７】
2013033683.tif 000019
【図１８】
2013033683.tif 000020
【図１９】
2013033683.tif 000021
【図２０】
2013033683.tif 000022
【図２１】
2013033683.tif 000023
【図２２】
2013033683.tif 000024